(57)【要約】【課題】単なる直方体ではなく、一部に湾曲部分を有した形状でありながら、耐圧力に優れたサック箱を提供すること。【解決手段】胴部における少なくとも一方の開口側において、前面パネル３は背面パネル１より短いサイズで、その前面パネル３には湾曲状態で胴部の一方の開口を閉じるカバーパネル１２が連設されており、一対の側面パネル２には前面パネル３と背面パネル１の前端同士を繋ぐ下向き湾曲状の折曲げ線２ａを介して木の葉状の折曲げ片１０がそれぞれ連設されている。折曲げ片１０をそれぞれ内側に折り曲げてからカバーパネル１２を湾曲状態で閉じると、折曲げ線２ａに沿った部分が僅かに外方向に膨らんだ状態となり、各側面パネル２はその端部が三次元構造となって強度がアップするので、湾曲部分を有した形状でありながら、耐圧力に優れたものとなる。【選択図】図２
2011006109.tif 000002
【特許請求の範囲】
【請求項１】
一枚のブランクからなり、背面パネルと前面パネルと一対の側面パネルとで角筒状の胴部が形成されるサック箱であって、胴部における少なくとも一方の開口側において、前面パネルは背面パネルより短いサイズで、その前面パネルには湾曲状態で胴部の一方の開口を閉じるカバーパネルが連設されており、一対の側面パネルには前面パネルと背面パネルの前端同士を繋ぐ下向き湾曲状の折曲げ線を介して木の葉状の折曲げ片がそれぞれ連設されていることを特徴とするサック箱。
【発明の詳細な説明】
【技術分野】
【０００１】
本発明は、包装分野に属し、詳しくは、板紙を材料とする紙器の代表的な一つであるサック箱に関するものである。
【背景技術】
【０００２】
一般に、紙器と呼ばれるものとしては、折畳み箱、組立て箱、貼り箱、その他の箱が挙げられる。このうち、折畳み箱は、紙器工場で箱の形までをつくり、平らに折り畳まれた状態で充填工程まで運ばれ、内容物を入れるときに一つずつ起函して用いる箱のことであり、中でも一ピースで形成されるサック箱は使用する板紙の量が少なく、安価で生産性の高い箱であることから、菓子や薬などの包装分野をはじめとして多方面で広く利用されている。このようなサック箱は、１）印刷、２）打抜き及び筋付け、３）貼りの基本工程を経て折り畳み状態で製造され、充填工程において組み立てられる。
【先行技術文献】
【特許文献】
【０００３】
【特許文献１】特開２００４−３１５０３８号公報
【発明の概要】
【発明が解決しようとする課題】
【０００４】
上記したサック箱は、折畳み状態から起函して組み立てると、外観は直方体形状を呈することになる。そこで、見た目のバリエーションを持たせるため、色々な変形箱が考えられているが、簡単なものとして、例えば図４，５に示すように、開封部分に湾曲したカバーパネルＰを用いたタイプのサック箱Ｃがある。しかしながら、このようなカバーパネルＰを設けて湾曲部分を形成したサック箱は、店頭にて人目を引く点では好ましいものではあるが、カバーパネルＰの両サイドにある側面パネルＳには、通常の角形の箱のような稜線がないため、突っ張るところがなく、内容物に重量があると重ねたときに箱の形状が崩れてしまうという問題が生じる。
【０００５】
本発明は、上記のような問題点に鑑みてなされたものであり、その目的とするところは、単なる直方体ではなく、一部に湾曲部分を有した形状でありながら、耐圧力に優れたサック箱を提供することにある。
【課題を解決するための手段】
【０００６】
上記の目的を達成するため、本発明のサック箱は、一枚のブランクからなり、背面パネルと前面パネルと一対の側面パネルとで角筒状の胴部が形成されるサック箱であって、胴部における少なくとも一方の開口側において、前面パネルは背面パネルより短いサイズで、その前面パネルには湾曲状態で胴部の一方の開口を閉じるカバーパネルが連設されており、一対の側面パネルには前面パネルと背面パネルの前端同士を繋ぐ下向き湾曲状の折曲げ線を介して木の葉状の折曲げ片がそれぞれ連設されていることを特徴としている。
【発明の効果】
【０００７】
本発明のサック箱は、起函して角筒状の胴部を形成した後、少なくとも一方の開口において各側面パネルに連設する折曲げ片をそれぞれ内側に折り曲げてからカバーパネルを湾曲状態で閉じると、折曲げ線に沿った部分が僅かに外方向に膨らんだ状態となり、各側面パネルはその端部が三次元構造となって強度がアップするので、湾曲部分を有した形状でありながら、耐圧力に優れたものとなる。
【図面の簡単な説明】
【０００８】
【図１】本発明に係るサック箱の一例を閉じた状態で示す斜視図である。
【図２】図１のサック箱をそのカバーパネルを開けた状態で示す斜視図である。
【図３】図１のサック箱を形成するブランクの展開図である。
【図４】閉鎖部に湾曲部分を有する形状のサック箱の斜視図である。
【図５】図４のサック箱をそのカバーパネルを開けた状態で示す斜視図である。
【発明を実施するための形態】
【０００９】
次に、本発明の実施の形態について図面を参照しながら詳細に説明する。
【００１０】
図１及び図２に示すサック箱Ａは、図３に展開図を示すブランクＢを組み立てて形成される。このサック箱Ａの中には所望の内容物が収納されることは言うまでもない。
【００１１】
サック箱Ａを形成するブランクＢは、板紙を打ち抜いて形成されたもので、図３に示すように、背面パネル１、側面パネル２、前面パネル３及び側面パネル４がこの順で折線を介して横方向に連設され、背面パネル１の反対側には糊代片５が折線を介して連設されている。背面パネル１、側面パネル２、前面パネル３及び側面パネル４は下辺がほぼ一直線上にあり、背面パネル１の下辺には内側閉鎖パネル６が、前面パネル６の下辺には外側閉鎖パネル７が連設され、側面パネル２，４の下辺にはそれぞれ折込み片８，９が連設されている。
【００１２】
背面パネル１は上下方向に長い矩形状であり、一方、前面パネル３は図示のように背面パネル１より上下方向に短くなっており、その結果、組立時に背面パネル１は前面パネル３より上方に突き出るサイズになっている。
【００１３】
前面パネル３の上方には、上下方向の長さが側面パネル２，４の幅より大きくなったサイズのカバーパネル１２が折線ａを介して連設されている。この例では、組立て時にカバーパネル１２を湾曲しやすくするため、図示のようにカバーパネル１２の先端側の折線ｂまでの全面に渡って横罫線が多数設けられている。
【００１４】
カバーパネル１２にはその先端に差込み片１２ａが連設されており、背面パネル１の上部には、組立て時においてその差込み片１２ａを差し込んで係止することができる長さでスリットｓが形成され、そのスリットｓの中央に指先サイズの差込み孔１ａが形成されている。
【００１５】
そして、一方の側面パネル２には、その上方に背面パネル１と前面パネル３の前端同士を繋ぐ下向き湾曲状の折曲げ線２ａを介して木の葉状の折曲げ片１０が連設されており、他方の側面パネル４にも、その上方に前記側面パネル２と対称的な湾曲状の折曲げ線４ａを介して前記折曲げ片１０と対照的な木の葉状の折曲げ片１１が連設されている。
【００１６】
図３のブランクＢを組み立てるには、まずこのブランクＢをサック貼りする。具体的には、背面パネル１と側面パネル２の境界と、前面パネル３と側面パネル４の境界とでブランクＢを折り畳み、糊代片５の表側を側面パネル４の端縁裏側に糊付けする。このようにサック貼り状態で折り畳んだブランクを複数枚まとめて充填工程に送り、そこで内容物を入れて図１に示すサック箱Ａを組み立てる。
【００１７】
充填工程において、サック貼り状態で折り畳まれたブランクＢを起こすと、背面パネル１と前面パネル３と一対の側面パネル２，４とで角筒状の胴部が形成される。次いで、各側面パネル２，４の下辺に連設する折込み片８，９を内側に折り曲げ、その上から背面パネル１の下辺に連設する内側閉鎖パネル６と前面パネル１の下辺に連接する外側閉鎖パネル７を順次折り曲げて糊付けすることで胴部下部に閉鎖部を形成する。なお、この閉鎖部は一例にすぎないものであり、このようなシールサックのほか、オートボトム、差込みベロ、ロックサック等のいずれを採用しても構わない。
【００１８】
このように、角筒状の胴部における下方の開口部を閉じた後、上方の開口から内容物を挿入する。次いで、側面パネル２，４の上方に連設する木の葉状の折曲げ片１０，１１を折曲げ線２ａ，４ａのところでそれぞれ内側に折り曲げることで、折曲げ線２ａ，４ａに沿った部分を上下に突っ張らせた状態とする。そして最後に、前面パネル３の上方に連設するカバーパネル１２で上方の開口を閉じるようにし、その先端にある差込み片１２ａを、背面パネル１にあるスリットｓに差し込んで係止させる。図示の例では、カバーパネル１２の一番外側にある罫線ｂのところで裏側に折り曲げられる。これにより、カバーパネル１２は開口を湾曲状態で閉じた状態となる。
【００１９】
上記のサック箱Ａは、側面パネル２，４の前方に連設する木の葉状の折曲げ片１０，１１をそれぞれ折曲げ線２ａ，４ａのところで内側に折り曲げることで、湾曲状の折曲げ線２ａ，４ａに沿った部分が僅かに外方向に膨らんだ状態となり、側面パネル２，４はその端部が三次元構造となって強度がアップする。このため、向かい合う背面パネル１と前面パネル３を外から押し合った場合に強度が発揮されることから、平置き状態で積み重ねた場合にカートンが潰れるのが防止される。
【００２０】
また、折曲げ線２ａ，４ａが曲線になっているので、折り曲げた木の葉状の折曲げ片１０，１１は元に戻ろう（外側に開こう）とすることから、カバーパネル１２を曲げる際のガイドとなるし、曲げた後では木の葉状の折曲げ片１０，１１がカバーパネル１２と側面パネル２，４の隙間を塞ぐという効果もある。
【００２１】
上記のサック箱Ａは、図１のように、平らに閉じた方を下にして立てた状態にすることができるので、湾曲したカバーパネル１２の部分が上になって目立つものとなり、店頭での陳列時に消費者の目に付きやすく、販売効果が促進されるという効果を発揮する。
【００２２】
以上、本発明を実施するための形態について詳細に説明してきたが、本発明によるサック箱は、上記の形態に何ら限定されるものではなく、本発明の趣旨を逸脱しない範囲において種々の変更が可能であることは当然のことである。
【００２３】
例えば、上記の例では、カバーパネルを開閉可能としたが、カバーパネルを糊付けして閉じることで湾曲状態のままの閉鎖部とすることもできる。この場合、他方の開口を通常の箱のように開閉可能としてもよいし、剥がして開封するタイプとすることもできる。
【００２４】
また、上記の例では、角筒状の胴部における一方の開口をカバーパネルにより湾曲状態で閉じるようにしたが、両方の開口をそれぞれ湾曲状態で閉じるようにすることも可能であり、この場合、少なくとも一方を開閉可能とすることもできるし、剥がして開封するタイプとすることもできる。
【符号の説明】
【００２５】
Ａ  サック箱
Ｂ  ブランク
１  背面パネル
１ａ  差込み孔
２  側面パネル
２ａ  折曲げ線
３  前面パネル
４  側面パネル
４ａ  折曲げ線
５  糊代片
６  内側閉鎖パネル
７  外側閉鎖パネル
８，９  折込み片
１０，１１  折曲げ片
１２  カバーパネル
１２ａ  差込み片
ａ，ｂ  罫線
ｓ  スリット
【図１】
2011006109.tif 000003
【図２】
2011006109.tif 000004
【図３】
2011006109.tif 000005
【図４】
2011006109.tif 000006
【図５】
2011006109.tif 000007